(57)【要約】  本発明は、特に自動車の液圧システム用の電磁操作式の弁（１）であって、少なくとも１つのスリーブ（２）を有しており、該スリーブ（２）内に、磁気コア（３）が堅固に配置され、かつ弁部材（６）を操作する磁石可動子（４）が軸方向で移動可能に配置されており、前記磁気コア（３）の、前記磁石可動子（４）に面したコア端面（１１）と、前記磁石可動子（４）の、前記磁気コア（３）に面した可動子端面（１２）との間に、弾性的に変形可能なばね部材（１３）が緊張保持または緊張可能に保持されており、前記ばね部材（１３）が、前記可動子端面（１２）および前記コア端面（１１）と共に、それぞれ少なくとも１つの当接ポイント（１６，１７）を形成している形式のものに関する。この場合、前記ばね部材（１３）、前記可動子端面（１２）および／または前記コア端面（１１）の、半径方向に拡がる輪郭が、少なくとも１つの当接ポイント（１６，１７）の半径方向位置がコア端面（１１）に対する可動子端面（１２）の間隔に基づいて変化するように、成形されている。【選択図】  図１
2014517228.tif 000002
【特許請求の範囲】
【請求項１】
特に自動車の液圧システム用の電磁操作式の弁（１）であって、少なくとも１つのスリーブ（２）を有しており、該スリーブ（２）内に、磁気コア（３）が堅固に配置され、かつ弁部材（６）を操作する磁石可動子（４）が軸方向で移動可能に配置されており、前記磁気コア（３）の、前記磁石可動子（４）に面したコア端面（１１）と、前記磁石可動子（４）の、前記磁気コア（３）に面した可動子端面（１２）との間に、弾性的に変形可能なばね部材（１３）が緊張保持または緊張可能に保持されており、前記ばね部材（１３）が、前記可動子端面（１２）および前記コア端面（１１）と共に、それぞれ少なくとも１つの当接ポイント（１６，１７）を形成している形式のものにおいて、
前記ばね部材（１３）、前記可動子端面（１２）および／または前記コア端面（１１）の、半径方向に拡がる輪郭が、少なくとも１つの当接ポイント（１６，１７）の半径方向位置がコア端面（１１）に対する可動子端面（１２）の間隔に基づいて変化するように、成形されていることを特徴とする、電磁操作式の弁（１）。
【請求項２】
前記ばね部材（１３）、前記可動子端面（１２）および／または前記コア端面（１１）の前記輪郭は、前記コア端面（１１）に対する前記可動子端面（１２）の間隔に基づいて、前記当接ポイント（１６，１７）の間隔が互いに変化するように、成形されていることを特徴とする、請求項１に記載の弁。
【請求項３】
前記ばね部材（１３）が、前記可動子端面（１２）および／または前記コア端面（１１）と共にそれぞれ１つの当接ラインまたは当接面を形成していることを特徴とする、請求項１または２に記載の弁。
【請求項４】
前記ばね部材（１３）が特に平らな円板ばね（１４）として構成されていることを特徴とする、請求項１から３のいずれか１項に記載の弁。
【請求項５】
半径方向に拡がる前記輪郭がそれぞれ湾曲または段付けされて構成されていることを特徴とする、請求項１から４のいずれか１項に記載の弁。
【請求項６】
前記湾曲されたそれぞれの湾曲部が、少なくとも１つの曲率半径、好適には複数の異なる曲率半径（Ｒ１，Ｒ２，Ｒ３，Ｒ４，Ｒ５，Ｒ６）を有していることを特徴とする、請求項１から５のいずれか１項に記載の弁。
【請求項７】
前記段付けされたそれぞれの輪郭部が、少なくとも１つ、好適には複数の連続する段（Ｓ１，Ｓ２，Ｓ３，Ｓ４）を有しており、これらの段が、同じまたは異なる段差を有し、かつ互いに同じ間隔または異なる間隔を保って配置されていることを特徴とする、請求項１から６のいずれか１項に記載の弁。
【請求項８】
前記可動子端面（１２）および前記コア端面（１１）が、少なくとも概ね互いに相補的に構成されていることを特徴とする、請求項１から７のいずれか１項に記載の弁。
【請求項９】
前記ばね部材（１１）が皿ばねとして構成されていて、前記コア端面（１１）および前記可動子端面（１２）が湾曲または段付けされて構成されていることを特徴とする、請求項１から８のいずれか１項に記載の弁。
【発明の詳細な説明】
【技術分野】
【０００１】
本発明は、請求項１の前文に記載した、特に自動車の液圧システム用の電磁操作式の弁に関する。
【０００２】
背景技術
このような形式の弁は、背景技術により公知であり、しばしば自動車の液圧システム、特に安全にかかわる液圧システム例えばブレーキ装置等に使用される。従って例えば特許文献１によれば、電磁操作式の弁が開示されており、この弁は、スリーブ内に堅固に配置された磁気コアを有していて、この磁気コアは運転時に、軸方向で移動可能に配置された磁石可動子に磁力を作用させる。磁石可動子は、弁部材を操作するために弁部材に接続されていて、弁部材は、操作時に電磁弁の貫流開口を開放する。通常は、弁を操作するために、磁石可動子は磁気コアによって引き寄せられるので、磁石可動子と磁気コアとの間の間隔は縮小し、弁部材は弁座から引き出される。この場合、弁はいわゆる無電流状態で閉鎖する弁であって、この弁は、無電流状態つまり非操作状態において貫流開口を確実に閉鎖することを保証する。しかも、磁石可動子と磁気コアとの間にばね部材が設けられていて、このばね部材は弾性的に変形可能であって、磁気コアと磁石可動子との間に緊張保持若しくは緊張可能に保持されている。このために、ばね部材は、磁気コアの、磁石可動子に面したコア端面に、および磁石可動子の、磁気コアに面した可動子端面に当接しており、それによってそれぞれ少なくとも１つの当接ポイントが、可動子端面およびコア端面に形成される。ばね部材によって、磁石可動子および弁部材は閉鎖位置に押しやられる。
【０００３】
前記特許文献１にも記載されているように、端面つまり可動子端面およびコア端面は、一般的に、これらの端面の半径方向の拡がり、つまり中心軸線もしくは回転軸線を起点とする半径方向の拡がりが、外方へ向かって斜めに延在するように構成されているので、弁の縦断面図で見て、前記端面は実質的にＶ字形の輪郭を有しており、この輪郭は例えば磁気コアが部分的に磁石可動子内に侵入するのを許容し、それによって小さい間隔が保証され、ひいては磁力を効果的に利用することが保証される。
【先行技術文献】
【特許文献】
【０００４】
【特許文献１】ヨーロッパ特許公告第１２３２０８２号明細書
【０００５】
発明の開示
本発明による電磁操作式の弁は、請求項１の特徴部に記載した点で優れている。本発明による（電磁式）弁は、弁ストロークに応じて、磁気コアと磁石可動子との間で作用するばね力が変化し、それによって、ばね部材のプログレッシブ（漸増的）な力／ストローク特性曲線（Ｋｒａｆｔ−Ｗｅｇ−Ｋｅｎｌｉｎｉｅ）の推移が生ぜしめられるか、またはよりプログレッシブな力／ストローク特性曲線の推移を生ぜしめることもできる。本発明による弁は、ばね部材、可動子端面および／またはコア端面の、半径方向に拡がる輪郭が、少なくとも１つの当接ポイントの半径方向位置がコア端面に対する可動子端面の間隔に基づいて変化するように、成形されている点で優れている。端面および／またはばね部材の幾何学形状若しくは輪郭を適当に選択することによって、少なくとも１つの当接ポイントが、弁ストロークに基づいて若しくは両端面間の間隔に基づいて半径方向で変化する構成が得られる。好適には、前記輪郭は、少なくとも１つの当接ポイントが両端面間の間隔の縮小に伴って移動することでばね力が高められるように、選定されている。これによって、磁石可動子の操作時に、磁石可動子の運動は好適な形式で減衰される。この場合、各部材の半径方向に拡がる輪郭とは、部材の、常に中心点若しくは回転軸線を起点として半径方向に拡がる輪郭のことである。好適には、ばね部材の輪郭は相応に成形され、これに対して両端面の輪郭は、真っすぐに若しくは磁石可動子の運動軸線に対して垂直に延在している。好適な選択的実施例によれば、少なくとも１つの端面が相応に成形されていて、これに対してばね部材は平らなばね部材として、若しくは一平面内特に磁石可動子の運動軸線に対して垂直な平面内に位置するばね部材として構成されている。
【０００６】
本発明の好適な実施態様によれば、ばね部材、可動子端面および／またはコア端面若しくはこれらの輪郭が、コア端面に対する可動子端面の間隔に基づいて、当接ポイントの間隔が少なくとも半径方向で見て互いに変化するように、成形されている。これによって、ばね部材のばねストローク若しくはレバーストロークが両端面間の間隔に基づいて互いに変化し、それによってばね力は、ばねワッシャがその全長に亘って同じ厚さ／幅を有していても、変化する。ばねワッシャが半径方向で異なる厚さ／幅を有していれば、ばね力はレバーアームの縮小に伴って付随的に変化する。
【０００７】
特に好適には、ばね部材が、可動子端面および／またはコア端面と共に、当接ラインまたは当接面としてのそれぞれ多数の当接ポイントを形成している。特に好適には、当接ラインまたは当接面は、好適には円形のばね部材の全周に亘って延在しているので、均一な負荷および力の分布若しくは力の伝達が行われる。好適には、コア端面、可動子端面およびばね部材が、回転対称的に構成されている。
【０００８】
好適には、ばね部材は特に平らな円板ばねとして構成されており、この円板ばねは特に環状に構成されており、従って円板ばねはその中央部に開口を有している。このような形式の円板ばねは、広く普及しており、従ってこのような円板ばねを使用することによって、弁の特に安価な実施例が可能である。
【０００９】
本発明の特に好適な実施態様によれば、半径方向に拡がる輪郭がそれぞれ湾曲または段付けされて構成されている。輪郭の湾曲または段差によって、簡単な形式で、当接ポイントが両端面の間隔に基づいて互いに移動する構成を得ることができる。この場合、実施例に応じて、当接ポイントは連続的にまたは段階的に変化せしめられる。特に輪郭の段付けされた構成において、当接ポイントの段階的な変化が行われ、これに対して湾曲された構成においては、それぞれの端面に沿った当接ポイントの連続的な移動も実現可能である。勿論、少なくとも１つの端面および／またはばね部材が半径方向で湾曲されかつ段付けされて成形されている混合形も考えられる。
【００１０】
好適には、湾曲されたそれぞれの湾曲部が、少なくとも１つの曲率半径、好適には複数の連続する異なる曲率半径を有している。これによって、ばね部材の所望の力／ストローク特性曲線を簡単な形式で調整することができる。
【００１１】
段付けされたそれぞれの輪郭は、少なくとも１つ、好適には複数の連続する段を有しており、これらの段が、同じまたは異なる段差を有し、かつ互いに同じ間隔または異なる間隔を保って配置されている。この場合、段差とは、段の高さのことである。従って複数の段の互いの間隔だけではなく、それぞれの段の高さによっても、ばね部材の力／ストローク特性曲線に影響を及ぼすことができる。
【００１２】
本発明の好適な実施例によれば、可動子端面およびコア端面が少なくとも概ね互いに相補的に構成されている。これによって、湾曲部若しくは少なくとも１つの段が設けられていても、磁気コアおよび磁石可動子は少なくとも部分的に互いに係合し合い、端面間の最小間隔を得ることができる。これによって、磁気コアと磁石可動子との間のいわゆるエアギャップは小さく維持することができ、磁力を最適に利用することができる。
【００１３】
本発明の好適な実施態様によれば、ばね部材が皿ばねとして構成されていて、コア端面および／または可動子端面が湾曲または段付けされて構成されている。つまり、湾曲または段の他に追加的に、少なくとも１つの端面においてばね部材が、円板状の構成とは異なる半径方向の延在形状を有しており、その場合、輪郭自体が、回転軸線に対して垂直に延在していない半径方向の延在形状を形成している。この場合、輪郭は斜めにまたは湾曲してまたは段付けして構成されていてよい。
【００１４】
その他の実施形態は、請求項並びに図面に示され以下に記載された実施例から得られる。
【図面の簡単な説明】
【００１５】
【図１】電磁操作式の弁の縦断面図である。
【図２Ａ】好適な実施例を示す図である。
【図２Ｂ】好適な実施例を示す図である。
【図３】別の好適な実施例を示す図である。
【発明を実施するための形態】
【００１６】
図１は、特に自動車の液圧システム内に組み込み可能な電磁操作式の弁１の縦断面図を示す。弁１は、概ね円筒形のスリーブ２を有しており、このスリーブ２は一端部に磁気コア３を有していて、この磁気コア３は前記スリーブ２に堅固に結合されている。磁気コア３に、詳しく図示していないコイルが対応配置されており、このコイルに給電されることによって磁気コア３は、スリーブ内に軸方向で移動可能に配置された磁石可動子４を引き寄せる。
【００１７】
磁石可動子４は段付けされた貫通孔５を有していて、該貫通孔５内で、磁気コア３とは反対側に弁部材６が保持されており、この弁部材６は弁先端７を有していて、この弁先端７は、貫流横断面を閉鎖または開放するために、弁座若しくは弁開口８と協働する。貫通孔５内にはさらに、軸方向で移動可能な押圧部材９が保持されており、この押圧部材９は、一端部がコイルばね１０として構成されたばね部材によって負荷されており、このコイルばね１０は一端部が弁部材６に支えられていて、他端部が磁気コア３に支えられている。この場合、磁気コア３は、磁石可動子４に面した、回転対称的なコア端面１１を有していて、磁石可動子４は、磁気コア３に面した回転対称的な可動子端面１２を有している。押圧部材９は、可動子端面１２を越えて突き出していて、コア端面１１の中央に当接している。
【００１８】
磁気コア３と磁石可動子４との間に、弾性的に変形可能な別のばね部材１３が設けられており、この別のばね部材１３は図示の実施例では回転対称的な円板ばね１４として構成されていて、コア端面１１と可動子端面１２との間で緊張され若しくはプリロードをかけられて保持されている。しかしながら、図示の初期位置、つまり操作されていない状態では、ばね部材１３は必ずしもプリロードをかけられて若しくは緊張されて保持されていなくてもよい。この構成は、選択的な実施例によれば、弁１が操作されると初めてばね部材１３が２つの端面１１と１２との間で緊張されるように、実施されてもよい。円板ばね１４は中央に開口１５を有しており、この開口１５を貫通して押圧部材９が突き出し、コア端面１１に当接している。
【００１９】
この場合、コア端面１１は中央の領域を有しており、この中央の領域内においてコア端面１１は弁１の軸線に対して垂直に延在していて、この中央の領域に押圧部材９が当接している。この中央の領域は、押圧部材９を越えて延在する曲率半径を有しており、それによって円板ばね１４のための載設面を形成している。磁石可動子４はその可動子端面１２に外側領域を有しており、この外側領域内において、可動子端面１２は同様に弁の軸線１８（一点鎖線により示されている）に対して概ね垂直に整列されている。この領域は環状に構成されていて、可動子端面１２の最も外側の縁部に配置されている。この領域に、円板ばね１４の外側の縁部領域が載っている。それによって円板ばね１４は、磁石可動子４および磁気コア３と共に、それぞれ１つの当接ポイント１６若しくは１７を形成しており、これらの当接ポイント１６，１７は、図示の実施例では環状の載設面として構成されている。また、コア端面１１および可動子端面１３は半径方向でつまり弁１の軸線を起点として、斜めに延在して構成されており、この場合、斜めに延在する領域は、概ね互いに平行であって、その限りにおいて、コア端面１１と可動子端面１２とは、相補的に構成されている。
【００２０】
運転中に、電磁弁に給電されるか若しくは電磁弁が操作されると、磁気コア３は磁石可動子４を引き寄せ、それによって磁気コア３と磁石可動子４との間で緊張保持された円板ばね１４は変形され、それによって、磁気コア３と磁石可動子４との間に作用するばね力が生じる。
【００２１】
図２は、好適な２つの実施例による弁１の拡大した詳細図を示す。この場合、弁１の軸線１８の左側に第１実施例が示されていて（図２Ａ）、軸線の右側に第２実施例が示されている（図２Ｂ）。
【００２２】
２つの好適な実施例において、コア端面１１および可動子端面１２は同様に、円板ばね１４と２つの端面１１，１２との間の当接ポイントの半径方向位置が、コア端面１１に対する可動子端面１２の間隔に応じて変化するように構成されている。このために、端面１１，１２は、半径方向で合致する輪郭を有しており、図２Ａによれば、輪郭は連続する複数の曲率半径Ｒ１〜Ｒ３若しくはＲ４〜Ｒ６によって形成若しくは成形され、図２Ｂによれば、輪郭は連続する複数の段Ｓ１およびＳ２若しくはＳ３およびＳ４によって形成若しくは成形されており、これに対して円板ばね１４は平らな若しくはフラットな円板ばね１４として設けられている。
【００２３】
つまり図２Ａの実施例では、それぞれの端面１１，１２の輪郭は湾曲して構成されており、湾曲部を形成するために、連続する複数の曲率半径が設けられている。曲率半径Ｒ１〜Ｒ３および曲率半径Ｒ４〜Ｒ６は、好適な形式でそれぞれ異なる大きさを有していて、特に好適には、図２Ａに示されているように、様々な出発点を有している。端面１１，１２の輪郭は、上述したように、磁気コア３と磁石可動子４との間の間隔が変化すると、少なくとも１つの当接ポイント、好適には２つの当接ポイントが半径方向で移動するように、構成されている。曲率半径Ｒ１乃至Ｒ６を相応に選択することによって、磁石可動子４が磁気コア３に接近し、磁石可動子４と磁気コア３との間のいわゆるエアギャップが縮小若しくは減少すると、例えば当接ポイント１６若しくは相応の当接面が、内方から外方へ向かって移動する。従って当接ポイント１６は、例えば曲率半径Ｒ１から曲率半径Ｒ２へ向かって、コア端面１１における曲率半径３まで移動する。それと同時に、当接ポイント１７は半径方向外方から内方へ、曲率半径Ｒ６，Ｒ５およびＲ４を介して移動する。好適には、輪郭は、エアギャップの縮小に伴って当接ポイント１６と１７との間の間隔が互いに縮小するように、選定されており、それによって円板ばね１４の有効なばね長さ若しくは有効なばねアーム若しくはばね領域が減少し、ひいてはばね力が高められる。従って、曲率半径を相応に選定することによって、弁１の運転特性に有利に作用する、プログレッシブな力／ストローク特性曲線を調整することができる。例えばこれによって、磁気コア３に接近する際に磁石可動子４の好適な減衰が行われる。
【００２４】
それに対応した動作が、図２Ｂに示した段付けされた輪郭を有する実施例では行われる。段Ｓ１〜Ｓ４の段差若しくは高さ、並びに段Ｓ１〜Ｓ４の互いの間隔は、エアギャップが縮小すると、当接ポイント１６，１７が外方若しくは内方へ移動することによって、プログレッシブなばね／ストローク特性曲線が得られるように、選定されている。
【００２５】
端面１１，１２の輪郭の、好適には実質的に相補的な構成によって、特に小さいエアギャップが保証され、それによって有効な磁力がより効果的に利用される。端面１１，１２は、コア端面１１が概ね突起部状に形成され、コア端面１２が切欠状に形成されるように、構成されている。これによって、磁石可動子４内に凹部が形成され、該凹部内に磁気コア３の突起部状のコア端面１１が侵入する。
【００２６】
図３は、別の好適な実施例を示す。この実施例では当接ポイント１６，１７が、磁気コア３に対する磁石可動子４の間隔に基づいて半径方向で移動する。この場合、円板ばね１４の輪郭は半径方向に段付けされて構成されており、これに対してコア端面１１および可動子端面１２は湾曲されていて、湾曲部は概ね１つの曲率半径だけを有しているので、可動子端面１２は凹面状であって、コア端面１１は凸面状に構成されている。円板ばね１４の輪郭が半径方向で段付けされて構成されていることによって、円板ばね１４は、異なる厚さ、若しくは（縦断面図で見て）高さｘ，ｙ１，ｙ２，ｙ３およびｙ４を有している。従って、どの曲率半径上に当接ポイント１６，１７が位置しているかに基づいて、円板ばねの様々な厚さを有する領域が磁石可動子４と磁気コア３との間に作用し、それによって円板ばね１４の力／ストローク特性曲線が影響を受ける。勿論、図３および図２の実施例は、特に好適な実施例を得るために、互いに組み合わせてもよい。
【００２７】
図示していない別の実施例によれば、ばね部材１３は円板ばね１４としてではなく、湾曲された端面１１と１２との間に緊張され保持されている皿ばねとして構成されている。この場合、端面１１，１２の輪郭は、必ずしも複数の曲率半径または段差によって規定されていなくてもよい。むしろ、図３の実施例に示されているように、単一の湾曲部が存在するだけでよい。長手方向で見て少なくとも概ね円錐形または錐形に構成された皿ばねの形状によって、当接ポイント１６および／または１７は移動するので、この実施例においても、磁気コア３に対する磁石可動子４の間隔に基づいて異なるばねレバーアーム若しくはばね力が作用する。
【００２８】
また、当接ポイント１６および／または当接ポイント１７のために２つの異なる位置だけを得るために、１つの段差だけ若しくは２つの曲率半径だけを設けることも考えられる。同様に、別の曲率半径または段差を端面１１，１２またはばね部材１３に設けてもよい。
【符号の説明】
【００２９】
１  弁
２  スリーブ
３  磁気コア
４  磁石可動子
５  貫通孔
６  弁部材
７  弁先端
８  弁座若しくは弁開口
９  押圧部材
１０  コイルばね
１１  コア端面
１２  可動子端面
１３  ばね部材
１４  円板ばね
１５  開口
１６、１７  当接ポイント
１８  軸線
Ｒ１〜Ｒ６  曲率半径
Ｓ１〜Ｓ４  段、
ｘ，ｙ１，ｙ２，ｙ３，ｙ４  厚さ若しくは高さ
【図１】
2014517228.tif 000003
【図２Ａ】
2014517228.tif 000004
【図２Ｂ】
2014517228.tif 000005
【図３】
2014517228.tif 000006
【手続補正書】
【提出日】平成25年12月3日(2013.12.3)
【手続補正１】
【補正対象書類名】特許請求の範囲
【補正対象項目名】全文
【補正方法】変更
【補正の内容】
【特許請求の範囲】
【請求項１】
自動車の液圧システム用の電磁操作式の弁（１）であって、少なくとも１つのスリーブ（２）を有しており、該スリーブ（２）内に、磁気コア（３）が堅固に配置され、かつ弁部材（６）を操作する磁石可動子（４）が軸方向で移動可能に配置されており、前記磁気コア（３）の、前記磁石可動子（４）に面したコア端面（１１）と、前記磁石可動子（４）の、前記磁気コア（３）に面した可動子端面（１２）との間に、弾性的に変形可能なばね部材（１３）が緊張保持または緊張可能に保持されており、前記ばね部材（１３）が、前記可動子端面（１２）および前記コア端面（１１）と共に、それぞれ少なくとも１つの当接ポイント（１６，１７）を形成している形式のものにおいて、
前記ばね部材（１３）、前記可動子端面（１２）および／または前記コア端面（１１）の、半径方向に拡がる輪郭が、少なくとも１つの当接ポイント（１６，１７）の半径方向位置がコア端面（１１）に対する可動子端面（１２）の間隔に基づいて変化するように、成形されていることを特徴とする、電磁操作式の弁（１）。
【請求項２】
前記ばね部材（１３）、前記可動子端面（１２）および／または前記コア端面（１１）の前記輪郭は、前記コア端面（１１）に対する前記可動子端面（１２）の間隔に基づいて、前記当接ポイント（１６，１７）の間隔が互いに変化するように、成形されていることを特徴とする、請求項１に記載の弁。
【請求項３】
前記ばね部材（１３）が、前記可動子端面（１２）および／または前記コア端面（１１）と共にそれぞれ１つの当接ラインまたは当接面を形成していることを特徴とする、請求項１または２に記載の弁。
【請求項４】
前記ばね部材（１３）が、平らな円板ばね（１４）として構成されていることを特徴とする、請求項１から３のいずれか１項に記載の弁。
【請求項５】
半径方向に拡がる前記輪郭がそれぞれ湾曲または段付けされて構成されていることを特徴とする、請求項１から４のいずれか１項に記載の弁。
【請求項６】
前記湾曲されたそれぞれの湾曲部が、１つの曲率半径、または、複数の異なる曲率半径（Ｒ１，Ｒ２，Ｒ３，Ｒ４，Ｒ５，Ｒ６）を有していることを特徴とする、請求項５に記載の弁。
【請求項７】
前記段付けされたそれぞれの輪郭部が、複数の連続する段（Ｓ１，Ｓ２，Ｓ３，Ｓ４）を有しており、これらの段が、同じまたは異なる段差を有し、かつ互いに同じ間隔または異なる間隔を保って配置されていることを特徴とする、請求項５に記載の弁。
【請求項８】
前記可動子端面（１２）および前記コア端面（１１）が、互いに相補的に構成されていることを特徴とする、請求項１から７のいずれか１項に記載の弁。
【請求項９】
前記ばね部材（１１）が皿ばねとして構成されていて、前記コア端面（１１）および前記可動子端面（１２）が湾曲または段付けされて構成されていることを特徴とする、請求項１から８のいずれか１項に記載の弁。
【国際調査報告】
2014517228.tif 000007
2014517228.tif 000008
2014517228.tif 000009
2014517228.tif 000010